(57)【要約】      （修正有）【課題】特に災害時用等の防災用に有効な新規な可搬式発光器を提供するものである。【解決手段】充電可能な充電池を使用して、常に使用可能とした搬送可能な筐体２と、この筐体２内に設けられ、商用交流電源を直流電源に変換する交流−直流変換器と、前記筐体２内に設けられ、前記交流−直流交換器によって充電される充電池と、開放接点を介して前記充電池の両端に接続され、前記筐体２の外部に設けられた発光体４ａ，４ｂと、前記筐体２内に設けられ、前記交流−直流変換器の出力が消失したとき、前記開放接点を閉じる駆動手段とを、具備する可搬式発光器であって、上記筐体２内にラジオ５及び／又は時計６を装備してある。【選択図】図１
0003105439.tif 000002
【実用新案登録請求の範囲】
【請求項１】
充電可能な充電池を使用して、常に使用可能とした搬送可能な筐体と、この筐体内に設けられ、商用交流電源を直流電源に変換する交流−直流変換器と、前記筐体内に設けられ、前記交流−直流交換器によって充電される充電池と、開放接点を介して前記充電池の両端に接続され、前記筐体の外部に設けられた発光体と、前記筐体内に設けられ、前記交流−直流変換器の出力が消失したとき、前記開放接点を閉じる駆動手段とを、具備する可搬式発光器であって、上記筐体内にラジオを装備してある可搬式発光器。
【請求項２】
充電可能な充電池を使用して、常に使用可能とした搬送可能な筐体と、この筐体内に設けられ、商用交流電源を直流電源に変換する交流−直流変換器と、前記筐体内に設けられ、前記交流−直流交換器によって充電される充電池と、開放接点を介して前記充電池の両端に接続され、前記筐体の外部に設けられた発光体と、前記筐体内に設けられ、前記交流−直流変換器の出力が消失したとき、前記開放接点を閉じる駆動手段とを、具備する可搬式発光器であって、上記筐体内に時計を装備してある可搬式発光器。
【請求項３】
充電可能な充電池を使用して、常に使用可能とした搬送可能な筐体と、この筐体内に設けられ、商用交流電源を直流電源に変換する交流−直流変換器と、前記筐体内に設けられ、前記交流−直流交換器によって充電される充電池と、開放接点を介して前記充電池の両端に接続され、前記筐体の外部に設けられた発光体と、前記筐体内に設けられ、前記交流−直流変換器の出力が消失したとき、前記開放接点を閉じる駆動手段とを、具備する可搬式発光器であって、上記筐体内にラジオと時計とを装備してある可搬式発光器。
【考案の詳細な説明】
【技術分野】
【０００１】
本考案は、搬送可能な発光器に関し、特に充電可能なものであって、非常時用等の防災用に有効な可搬式発光器に関する。
【背景技術】
【０００２】
従来、搬送可能な発光器としては、典型的なものとして懐中電灯がある。しかし、懐中電灯では、内蔵されている電池が消耗すると、新たな電池に交換しなければならない。そのため、実際に使用したいときには、電池が消耗していて使用不能であることもあった。この点を解消するため、充電可能な充電池を使用して、常に使用可能とした可搬式発光器が考案され既に公知である（例えば特許文献１）。
【特許文献１】実用新案登録第３０８３８７０号
【考案の開示】
【考案が解決しようとする課題】
【０００３】
上記公知の可搬式発光器は、充電可能な充電池を使用して、常に使用可能とした搬送可能な筐体と、この筐体内に設けられ、商用交流電源を直流電源に変換する交流−直流変換器と、前記筐体内に設けられ、前記交流−直流交換器によって充電される充電池と、開放接点を介して前記充電池の両端に接続され、前記筐体の外部に設けられた発光体と、前記筐体内に設けられ、前記交流−直流変換器の出力が消失したとき、前記開放接点を閉じる駆動手段とを、具備する構成からなり、交流−直流交換器によって充電池が充電され、交流−直流交換器への交流の供給が絶たれ、交流−直流変換器の出力が消失したとき、駆動手段が、開放接点を閉じて、充電池から発光体に直流電源が供給され、筐体の外部に設けられている発光体が発光する。
従って、交流−直流交換器への交流の供給が絶たれ多時、発光体が発光するので、常時交流電源に接続しておけば、停電時には自動的に発光するし、筐体が移動可能であるので、所望の場所に移動させて照明することもできる。
【０００４】
本考案は、上記の可搬式発光器を更に有効に使用すること、特に災害時用等の防災用に有効な新規な可搬式発光器を提供するものである。
【課題を解決するための手段】
【０００５】
本考案による可搬式発光器は、充電可能な充電池を使用して、常に使用可能とした搬送可能な筐体と、この筐体内に設けられ、商用交流電源を直流電源に変換する交流−直流変換器と、前記筐体内に設けられ、前記交流−直流交換器によって充電される充電池と、開放接点を介して前記充電池の両端に接続され、前記筐体の外部に設けられた発光体と、前記筐体内に設けられ、前記交流−直流変換器の出力が消失したとき、前記開放接点を閉じる駆動手段とを、具備する可搬式発光器であって、上記筐体内にラジオ及び／又は時計を装備してある。
【０００６】
このように構成された可搬式発光器では、交流−直流変換器によって充電池が充電される。そして、交流−直流変換器への交流の供給が絶たれ、交流−直流変換器の出力が消失したとき、駆動手段が、開放接点を閉じて、充電池から発光体に直流電源が供給され、筐体の外部に設けられている発光体が発光する。また筐体内に設けたラジオによりラジオ放送が聞け、時計により時刻を知ることができる。
【０００７】
前記駆動手段は、前記充電池の両端に接続された直列回路を備えることができる。この直列回路は、電流が供給された前記開放接点を駆動する接点駆動部と、制御端子に制御信号が供給されたとき閉じられるスイッチング素子とからなる。
さらに、付勢回路が設けられている。この付勢回路は、交流−直流変換器の出力が消失したとき、前記スイッチング素子の制御端子に制御信号を供給する。
【０００８】
このように構成された可搬式発光器では、交流−直流変換器の出力が消失したとき、付勢回路がスイッチング素子の制御端子に制御信号を供給し、スイッチング素子が閉じられ、接点駆動部に電流が流れ、開放接点が閉じられ、発光体が点灯する。
【０００９】
さらに、前記スイッチング素子に並列に第１の手動スイッチを接続することができる。このように構成した場合、第１の手動スイッチを閉じると、接点駆動部に電流が流れ、開放接点が閉じられ、発光体が点灯する。従って、交流−直流変換器の出力が消失していない状態でも、発光体が発光するか否か点検することができる。
【００１０】
また、閉じられたとき、前記スイッチング素子の制御端子への前記制御信号を非供給状態とする第２の手動スイッチを設けることもできる。このように構成した場合、付勢回路が制御信号をスイッチング素子に供給して、発光体が発光している状態において、第２の手動スイッチを操作すると、制御信号の供給が絶たれ、発光体が発光を中止する。従って、発光を停止させることができる。また、発光体を発光させる必要が生じると、第２の手動スイッチを再度操作することによって、制御信号を供給状態とでき、再び発光体を発光させることができる。
【考案の効果】
【００１１】
以上のように、本考案による可搬式発光器では、交流−直流変換器への交流の供給が絶たれたとき、筐体の外部に設けられている発光体が発光するので、常時、交流電源に接続しておけば、停電時には自動的に発光するし、筐体が移動可能であるので、所望の場所に移動させて照明することもできる。また、筐体内にラジオと時計を装備してあるから、災害時等において、本考案可搬式発光器を形態することにより、時刻を知ることができるし、ラジオ放送により種々の情報を知ることができる。さらに、第１の手動スイッチを閉じることによって、交流−直流変換器の出力が消失していない状態でも、発光体が発光するか否か点検することができる。また、第２の手動スイッチを操作すると、発光体の発光を中止させることができるので、充電が終了した後、第１の手動スイッチを閉じておけば、所望の場所まで、この発光器を移動させている間、発光体の不要な発光を防止でき、充電池の無用な消耗を防止できる。
【考案を実施するための最良の形態】
【００１２】
本考案の１実施形態の可搬式発光器は、図１に示すように、筐体２を有している。この筐体２は、概略直方体状に形成され、携帯可能な大きさに形成されている。この筐体２の上面の左右両側には、それぞれ発光体、例えばランプ４ａ、４ｂが配置されている。これらランプ４ａ、４ｂは、概略Ｕ字状に形成された支持体６ａ、６ｂに、水平な軸回りに回転自在に配置されている。従って、発光体４ａ、４ｂが照らす位置を任意に変更することができる。２つのランプ４ａ、４ｂを使用しているが、少なくとも１つのランプを使用すれば良く、３つ以上のランプを使用することもできる。
【００１３】
また、ランプ４ａ、４ｂの間には、ベルト８が取り付けられており、このベルト８は、筐体２を移動させる際に使用される。また、図２に示すように、筐体２の背面には、筐体２を壁等に固定するための孔１０、１０が設けられている。
さらに、本考案では、筐体２内にラジオ５と時計６を装備してある。これにより災害時等において、本考案可搬式発光器を携帯することにより、時刻を知ることができラジオ放送により種々の情報を知ることができる。
【００１４】
筐体２内には、図３に示すように、交流−直流変換器１２が設けられている。
この交流−直流変換器１２の入力側には、商用交流電源からの交流電圧を変圧器１４によって変圧した交流電圧が供給されている。変圧器１４の入力側には、電源スイッチ１６とヒューズ１８とが直列に設けられている。電源スイッチ１６は、筐体２の正面から操作可能である。
【００１５】
交流−直流変換器１２の出力１２ａ、１２ｂ間には、充電池３４が接続されている。さらに、出力１２ａ、１２ｂ間には、付勢回路２０が設けられている。この付勢回路２０は、交流−直流変換器１２の２つの出力１２ａ、１２ｂ間に直列に接続されたバイアス抵抗器２２、２４を有し、その接続点が半導体スイッチング素子、例えばトランジスタ２６のベースに接続され、このトランジスタ２６のエミッタは、出力１２ｂに接続されている。このトランジスタ２６のコレクタは、負荷抵抗器２７を介して出力１２ａに接続されている。
【００１６】
筐体２内には、付勢回路２０によって閉じられる半導体スイッチング素子、例えばトランジスタ２８も設けられている。このトランジスタ２８のエミッタは、出力１２ｂに接続され、ベースは、トランジスタ２６のコレクタに接続されている。トランジスタ２８のコレクタには直列に接点駆動部、例えばリレーコイル３０が接続され、このリレーコイル３０は出力１２ａに接続されている。リレーコイル３０と出力１２ａとの接続点は、リレーコイル３０に電流が流れたときに閉じられる開放接点、例えばリレー接点３２を介して並列に接続されたランプ４ａ、４ｂに接続されている。
【００１７】
また、トランジスタ２６、２８のエミッタ−コレクタに並列に開閉スイッチ３６、３８が設けられている。開閉スイッチ３６、３８は、手動によって開閉される機械スイッチである。開閉スイッチ３６、３８は、図１に示すように筐体２の正面から操作可能である。  
【００１８】
このように構成された可変式発光器では、電源スイッチ１６を閉じると、変圧器１４に交流電圧が供給され、変圧され、交流−直流変圧器１２によって直流電圧に変換される。この直流電圧によって、充電池３４が充電される。このとき、トランジスタ２６のベースにバイアスが与えられ、トランジスタ２６が導通し、その結果、トランジスタ２８のベースが低電位となり、トランジスタ２８は非導通である。その結果、リレーコイル３０には電流が流れず、ランプ４ａ、４ｂには電流が供給されず、これらは発光しない。
【００１９】
充電池３４への充電が完了した後、電源スイッチ１６を開放すると、トランジスタ２６へのバイアスが供給されず、トランジスタ２６は非導通となる。このとき、抵抗器２７を介してトランジスタ２８にバイアスが供給され、トランジスタ２８が導通し、リレー駆動コイル３０に電流が流れ、リレー接点３２が閉じられ、ランプ４ａ、４ｂに電流が流れ、これらランプ４ａ、４ｂが発光する。従って、交流電源が存在しない場所でも、ランプ４ａ、４ｂを発光させることができる。
【００２０】
このようにランプ４ａ、４ｂが発光している状態において、開閉スイッチ３８を閉じると、トランジスタ２８が非導通状態となり、リレー駆動コイル３０に電流が流れなくなり、リレー接点３２が開放され、ランプ４ａ、４ｂが消灯する。
この状態で、開閉スイッチ３８を開くと、ランプ４ａ、４ｂを再び点灯させることができる。従って、充電が完了後であって、ランプ４ａ、４ｂを点灯する必要のない期間には、開閉スイッチ３８を閉じておけばよい。
【００２１】
また、充電池３４を充電している状態において、開閉スイッチ３８を閉じると、リレー駆動コイル３０に電流が流れ、リレー接点３２が閉じられ、ランプ４ａ、４ｂに電流が流れる。従って、開閉スイッチ３８を閉じたときに、ランプ４ａ、４ｂが発光すると、ランプ４ａ、４ｂが正常であることを確認できる。
【００２２】
上記の実施の形態では、半導体スイッチング素子としてトランジスタ２６、２８を使用したが、これに限ったものではなく、ＦＥＴを使用することができる。
また、上記の実施の形態では、２つのランプ４ａ、４ｂを使用したが、その数は任意に変更することができ、最低限度１個だけランプを設ければよい。
【図面の簡単な説明】
【００２３】
【図１】本考案の１実施の形態の可搬式発光器の正面図である。
【図２】図１の可搬式発光器の背面図である。
【図３】図１の可搬式発光器のブロック図である。
【符号の説明】
【００２４】
２  筐体
４ａ、４ｂ  ランプ（発光体）
５  ラジオ
６  時計
１２  交流−直流交換器
２０  付勢回路
２８  トランジスタ（半導体スイッチング素子）
３０  リレー駆動コイル（接点駆動部）
３２  リレー接点（開放接点）
【図１】
0003105439.tif 000003
【図２】
0003105439.tif 000004
【図３】
0003105439.tif 000005